(57)【要約】【課題】テレビ放送が行われている時間帯であっても、簡単な構成にて、つけっ放し状態を検出し、自動的に電源をオフ制御することが可能なテレビジョン受像機を提供する。【解決手段】テレビ放送信号を受信し、所望のチャンネルの番組を表示するテレビジョン受像機であって、同一放送チャンネルの連続する所定数の番組が受信されたことを検出する検出手段６，８と、前記検出手段による検出結果に基づいて、電源を遮断制御する電源制御手段１１とを設けたものである。【選択図】　図１
2004056444.tif 000002
【特許請求の範囲】
【請求項１】
テレビ放送信号を受信し、所望のチャンネルの番組を表示するテレビジョン受像機であって、
同一放送チャンネルの連続する所定数の番組が受信されたことを検出する検出手段と、
前記検出手段による検出結果に基づいて、電源を遮断制御する電源制御手段とを設けたことを特徴とするテレビジョン受像機。
【請求項２】
前記請求項１に記載のテレビジョン受像機において、
前記同一放送チャンネルの連続する所定数の番組が受信されたことを検出したとき、電源の遮断を報知するオンスクリーン表示を行うＯＳＤ手段を設け、
前記電源制御手段は、前記オンスクリーン表示が所定時間だけ行われた後、電源を遮断制御することを特徴とするテレビジョン受像機。
【発明の詳細な説明】
【０００１】
【発明の属する技術分野】
本発明は、テレビ放送信号を受信し、所望のチャンネルの番組を表示するテレビジョン受像機に関し、特につけっ放し状態を検出して、自動的に電源をオフすることが可能なテレビジョン受像機に関するものである。
【０００２】
【従来の技術】
従来から、使用者が表示画像を視聴していない、所謂つけっ放し状態のテレビジョン受像機における無駄な電力消費を防止するために、テレビジョン受像機のつけっ放し状態を検出して、自動的に電源をオフすることが可能なものが各種提案されている。
【０００３】
例えば、特開昭５９−１７１２７１号公報、実開平７−２９９６６号公報、特開平９−３１２７８３号公報等には、テレビ放送信号に含まれる映像信号、同期信号の有無を検出し、これらの無存在が検出された場合、テレビ放送の終了にも関わらずつけっ放し状態であると判別して電源をオフし、省エネルギー化を図るものが提案されている。
【０００４】
また、例えば特開平６−７８２４６号公報には、テレビ視聴中に電源をオフせずに席を離れた場合、これをセンサによって検知し、検知後一定時間が過ぎたとき、自動的に電源を制御し動作待機モードに切り替えることによって、不必要な電力消費を防止することが開示されている。
【０００５】
【発明が解決しようとする課題】
しかしながら、上述した従来のテレビ放送信号に含まれる映像信号、同期信号の有無に応じて、電源をオフ制御するものの場合、テレビ放送の終了後における無駄な電力消費を防止することは可能であるが、換言すれば、テレビ放送の終了まではつけっ放し状態であっても電源を自動オフ制御することができない。
【０００６】
従って、例えばテレビ放送が終了するずっと前に、テレビジョン受像機をつけっ放しで使用者が出掛けてしまったり、眠ってしまった場合は、無駄な電力消費が発生してしまうという問題があった。
【０００７】
また、上述した従来の視聴者の不在が検知されたとき、電源をオフ制御するものにおいては、視聴者を感知するためのセンサ（赤外線センサ）が必要であり、構成が複雑になるとともに、コストの増大を招来するという問題があった。
【０００８】
本発明は、上記課題に鑑みてなされたものであり、テレビ放送が行われている時間帯であっても、簡単な構成にて、つけっ放し状態を検出し、自動的に電源をオフ制御することが可能なテレビジョン受像機を提供するものである。
【０００９】
【課題を解決するための手段】
本願の第１の発明は、テレビ放送信号を受信し、所望のチャンネルの番組を表示するテレビジョン受像機であって、同一放送チャンネルの連続する所定数の番組が受信されたことを検出する検出手段と、前記検出手段による検出結果に基づいて、電源を遮断制御する電源制御手段とを設けたことを特徴とする。
【００１０】
すなわち、同一放送チャンネルの連続する番組が予め定められた所定数以上受信されたことを検出したとき、当該テレビジョン受像機がつけっ放し状態にあると判断して、自動的に電源をオフすることが可能である。これにより、テレビ放送が行われている場合であっても、簡単な構成にて、テレビジョン受像機のつけっ放し状態を判別することが可能であり、確実に無駄な電力消費を防止することができる。
【００１１】
本願の第２の発明は、前記放送同一チャンネルの連続する所定数の番組が受信されたことを検出したとき、電源の遮断を報知するオンスクリーン表示を行うＯＳＤ手段を設け、前記電源制御手段が、前記オンスクリーン表示が所定時間だけ行われた後、電源を遮断制御することを特徴とする。
【００１２】
すなわち、自動的に電源をオフする前に、電源の遮断を報知するオンスクリーン表示を行うことによって、もし使用者が視聴中である場合には、該番組視聴の続行の意思確認を行うことが可能となり、使い勝手を向上させることができる。
【００１３】
【発明の実施の形態】
以下、本発明のテレビジョン受像機の一実施形態を、例えばディジタル放送受信機について、図１乃至図３とともに詳細に説明する。ここで、図１は本実施形態のテレビジョン受像機における要部概略構成を示す機能ブロック図、図２は本実施形態のテレビジョン受像機における自動電源オフ制御動作を示すフローチャート、図３はＥＰＧ（電子番組表）の一例を示す説明図である。
【００１４】
図１において、１はチューナ、２はディジタル復調を行い、ＴＳ（Ｔｒａｎｓｐｏｒｔ　Ｓｔｒｅａｍ）をディジタルデータとして出力する復調部、３はＴＳから各データのパケットを分離するパケット分離部（ＤＥＭＵＸ）、４は映像データを復号する映像復号部、５は音声データを復号する音声復号部、６はデータ情報からＥＰＧの表示画面を構成する処理を行うＥＰＧ処理部、７はオンスクリーン表示信号を発生するＯＳＤ処理部、８は制御ＣＰＵである。
【００１５】
９は上記制御ＣＰＵ８からの制御データに基づいて、映像信号、音声信号、ＥＰＧの表示画面、オンスクリーン表示信号とをそれぞれ合成する合成部、１０はＬＣＤ，ＣＲＴ等を用いた表示装置、１１は当該テレビジョン受像機のシステム電源制御部である。尚、各ブロック１〜７，９，１１は上記制御ＣＰＵ８と接続され、制御ＣＰＵ８では、各ブロックからのデータ等により制御データを決定して、ディジタルデータの受信や、画像表示、電源オン／オフ等の動作を制御している。
【００１６】
次に、上記のディジタル放送受信機の動作を説明する。図示しない受信アンテナで受信された放送信号はチューナ１へ入力され、チューナ１では制御ＣＰＵ８から選択チャンネルを示す制御データを受けて、チャンネルの選択を行う。チャンネル選択された受信信号は復調部２へ送られ、復調部２ではディジタル復調が行われ、例えば制御ＣＰＵ８からの制御データに従って、選択番組を含むＴＳ（Ｔｒａｎｓｐｏｒｔ　Ｓｔｒｅａｍ）が選択され、そのＴＳをディジタルデータとして出力する。
【００１７】
パケット分離部３では、入力されたＴＳの中から、選択した番組のパケットを分離して取り出し、その番組の映像データおよび音声データを出力する。パケット分離部３は、さらに、ＴＳの中に同時に送信されている番組配列情報（Ｓｅｒｖｉｃｅ　Ｉｎｆｏｒｍａｔｉｏｎ）を分離して取り出し、ＥＰＧ処理部６に出力している。
【００１８】
また、上記パケット分離部３においては、ＴＳにより送信される伝送制御信号（ＰＳＩ：Ｐｒｏｇｒａｍ　Ｓｐｅｃｉｆｉｃ　Ｉｎｆｏｒｍａｔｉｏｎ）、時間情報等が取り出され、これらは制御情報として制御ＣＰＵ８へ送られて、これに基づいて制御ＣＰＵ８からパケット分離を制御する制御データが送られることとなる。
【００１９】
上記パケット分離部３から出力された映像データはＭＰＥＧ−２により符号化されており、映像復号部４では、映像データを復号して映像信号を出力する。そして、上記映像復号部４では、その復号動作が制御ＣＰＵ８からの制御データに基づいて行われ、復号の際に映像データにおけるシーケンスヘッダ、シーケンスエンドコード等のデータを識別するとともに、画像サイズ、アスペクト比、走査方式およびフレーム周波数による映像フォーマット、シーケンスの開始、シーケンスエンドコード（シーケンスの終了コード）の検出等を示すデータを映像復号部４から制御ＣＰＵ８へと送る。
【００２０】
また、上記パケット分離部３から出力された音声データもまた符号化されており、音声復号部５では音声データを復号して音声信号を出力する。そして、上記音声復号部５では、上記映像復号部４と同様に、その復号動作が制御ＣＰＵ８からの制御データに基づき行われ、復号の際に音声データにおけるヘッダ等のデータを識別するとともに、サンプリング周波数、音声チャンネル数等により音声フォーマット等を示すデータを音声復号部５から制御ＣＰＵ８へ送っている。以上の映像復号部４および音声復号部５からの出力である映像信号と音声信号は、いずれも合成部９へ送られている。
【００２１】
次に、上記パケット分離部３からＥＰＧ処理部６に出力される番組配列情報（ＳＩデータ）について説明する。ＥＰＧ処理部６では、入力されたＳＩデータを処理してＥＰＧの表示画面を構成し、ＥＰＧ表示画面を示す信号を出力する。上述したように、ＳＩデータはチャンネル名、個々の番組のタイトル、開始終了時間、進行状態などの情報を含んでいて、ＥＰＧ処理部６でこれらのデータに基づいた処理を行い、ＥＰＧの表示画面を構成する。そして、上記ＥＰＧ処理部６からの出力であるＥＰＧ表示画面信号は合成部９へ送られる。
【００２２】
また、ＯＳＤ処理部７は制御ＣＰＵ８からの指示に基づいて各種キャラクタ信号、文字信号を発生し、合成部９へ出力する。このように合成部９には、上記映像復号部４からの映像信号、上記音声復号部５からの音声信号、およびＥＰＧ処理部６からのＥＰＧ表示画面信号が送られており、制御ＣＰＵ８からの制御データに基づいてそれらを合成し、その合成後の表示信号が表示装置１０において表示される。
【００２３】
ここで、合成部９は、制御ＣＰＵ８から表示動作を行うための各種の制御データを受け取っている。制御データは、表示信号を合成するための信号であって、上述した各ブロックからの映像フォーマット、音声フォーマット等のデータに基づいて形成されている。
【００２４】
また、図示しないリモコン等を操作して、視聴者の操作により受信チャンネル、番組等の選択、及びＥＰＧ画面の表示、非表示等を指示した場合には、その操作内容が制御ＣＰＵ８へ送られ、制御ＣＰＵ８から合成部９には、受信チャンネル、番組等の選択、及びＥＰＧ画面の表示または非表示を指示するための制御データが送られる。
【００２５】
従って、通常は、制御ＣＰＵ８からの制御データに基づいて、上記合成部９において選択番組の映像信号と音声信号が表示信号としてそのまま表示装置１０へ出力され、表示装置１０では入力された表示信号である映像信号と音声信号によって、番組映像と音声とが視聴者に提供される。
【００２６】
一方、リモコンの操作部材等において、視聴者がＥＰＧの表示（または非表示）を指示する操作を行うと、その操作内容が制御ＣＰＵ８へ送られ、制御ＣＰＵ８からはＥＰＧの表示（または非表示）を示す制御データが合成部９に出力される。すなわち、制御ＣＰＵ８からの制御データはＥＰＧの表示を指示する制御データであったり、或いは非表示を指示する制御データとして合成部９へ送られる。
【００２７】
従って、合成部９では、表示装置１０でＥＰＧの表示画面が表示されていない場合には、上記制御ＣＰＵ８からのＥＰＧ表示を指示する制御データに基づき、ＥＰＧ表示画面信号を映像信号に重ね合わせるなどして、ＥＰＧが合成された表示信号を表示装置１０へ出力することになる。尚、ＥＰＧの表示画面への合成方法には、通常の映像画面とＥＰＧ表示画面とを重ね合わせるもの、或いは画面を分割して、通常の映像画面とＥＰＧ表示画面とを同時に表示するものがある。
【００２８】
さらに、リモコン等を用いて視聴者が電源オン／オフの操作を行った場合や、オンタイマー／オフタイマ−設定時刻になった場合、さらには、後述するつけっ放し状態が検出された場合、制御ＣＰＵ８からシステム電源制御部１１にオン／オフの制御指示を出して、当該ディジタル放送受信機の電源駆動を制御している。
【００２９】
本実施形態のディジタル放送受信機においては、上記ＥＰＧを参照して放送番組の切り替わりを検出して、同一放送チャンネルにおいて連続するｎ個の番組が受信選択されている場合に、当該テレビジョン受像機がつけっ放し状態にあると判別し、電源の遮断を報知するオンスクリーン表示を行った後、電源をオフするように制御する。
【００３０】
これについて、図２及び図３とともに、以下詳細に説明する。図２のフローチャートにおいて、電源がオンされてテレビ放送信号の受信が開始されると、使用者によるチャンネル変更の指示操作の有無を監視し（ステップ１）、チャンネル変更がない場合は、上記パケット分離部３からＥＰＧ処理部６に出力される番組配列情報（ＳＩデータ）と内蔵時計より得られる現在時刻情報とを比較して放送番組の切り替わりを検出する（ステップ２）。
【００３１】
放送番組の切り替わりが検出された場合は、連続受信番組数Ｎをカウントアップし（ステップ３）、この連続受信番組数Ｎが予め設定された所定数ｎに達したか否かを判別する（ステップ４）。ここで、ｎは例えば工場出荷時に設定された「３」、「４」などの自然数であり、使用者が任意に設定可能としても良い。尚、上記ステップ１にてユーザ指示によるチャンネル変更が検出された場合は、連続受信番組数Ｎを１にリセットして（ステップ５）、再びチャンネル変更の有無を監視する。
【００３２】
上記ステップ４にて連続受信番組数Ｎが予め設定された所定番組数ｎに達したことが検出されると、「電源を遮断します」などのメッセージをオンスクリーン表示するようにＯＳＤ処理部７に対して指示を出力し（ステップ６）。使用者に視聴続行の意思確認を促す。ここで、使用者がリモコン等の操作部材により受信番組視聴の続行を指示入力した場合は（ステップ８）、連続受信番組数Ｎを１にリセットして（ステップ８）、再びチャンネル変更の有無監視動作に戻る。
【００３３】
そして、上記視聴続行の意思確認のためのＯＳＤ表示から予め設定された時間ｔ（例えば１０秒間）が経過したとき（ステップ９）、使用者に視聴続行の意思がない、すなわちつけっ放し状態であると判断して、システム電源制御部１１に対して電源をオフするように指示を出力して（ステップ１０）、動作を終了する。
【００３４】
ここで、例えば図３に示すようなＥＰＧが取得され、ｎ＝３に設定されている場合、使用者が００：００にシステム電源をオンしてＳＳＳ放送チャンネルにおける放送番組ＢＢＢの視聴を開始した後、当該テレビジョン受像機をつけっ放し状態のまま、眠ってしまったとしても、ＳＳＳ放送チャンネルにおける放送番組ＢＢＢから連続する３つ目の放送番組ＤＤＤが放映開始される時刻００：５０に、視聴続行の意思確認のためのＯＳＤ表示を行った後、システム電源を自動的に切断することが可能である。
【００３５】
同様に、ｎ＝４に設定されている場合は、ＳＳＳ放送チャンネルにおける放送番組ＢＢＢから連続する４つ目の放送番組ＥＥＥが放映開始される時刻０１：２５に、視聴続行の意思確認のためのＯＳＤ表示を行った後、システム電源を自動的に切断することが可能である。
【００３６】
以上のように、本実施形態のディジタル放送受信機においては、テレビ放送信号に多重されたＥＰＧと現在時刻情報とを比較することで放送番組の切り替わりを検出して、同一放送チャンネルにおいて連続するｎ個の番組が受信選択されている場合に、当該テレビジョン受像機がつけっ放し状態にあると判別し、電源をオフするように制御する。
【００３７】
従って、テレビ放送の終了時のみならず、テレビ放送が行われている時間帯であっても、特別なセンサーなどを設けることなく、非常に簡単な構成にて、テレビジョン受像機のつけっ放し状態を判別して、確実に無駄な電力消費を防止することができる。
【００３８】
また、自動的に電源をオフする前に、電源の遮断を報知するオンスクリーン表示を所定時間ｔだけ行うことにより、受信番組の視聴続行の意思確認を行うことが可能となるため、もし使用者が当該番組を視聴中である場合には、電源をオフする前に視聴続行の指示入力を行うことができ、使い勝手を向上させている。
【００３９】
尚、上記本発明の一実施形態においては、ディジタル放送信号に含まれるＥＰＧを利用して連続受信番組数Ｎを検出するようにしているが、これに限らず、例えばテレビ放送信号に含まれる番組の開始、終了を表すコールサインなどを利用して連続受信番組数を検出するようにしても良い。また、本発明はディジタル放送受信機に限らず、アナログ放送受信機にも適用可能であることは言うまでもない。
【００４０】
【発明の効果】
本発明の液晶表示装置は、上記のような構成としているので、同一放送チャンネルの連続する番組が予め定められた所定数以上受信されたことを検出したとき、当該テレビジョン受像機がつけっ放し状態にあると判断して、自動的に電源をオフすることが可能である。すなわち、テレビ放送が行われている場合であっても、簡単な構成にて、テレビジョン受像機のつけっ放し状態を判別することが可能であり、確実に無駄な電力消費を防止することができる。
【図面の簡単な説明】
【図１】本発明のテレビジョン受像機の一実施形態における要部概略構成を示す機能ブロック図である。
【図２】本発明のテレビジョン受像機の一実施形態における自動電源オフ制御動作を示すフローチャートである。
【図３】ＥＰＧ（電子番組表）の一例（要部のみ）を示す説明図である。
【符号の説明】
１　チューナ
２　復調部
３　パケット分離部
４　映像復号部
５　音声復号部
６　ＥＰＧ処理部
７　ＯＳＤ処理部
８　制御ＣＰＵ
９　合成部
１０　表示装置
１１　システム電源制御部
【図１】
2004056444.tif 000003
【図２】
2004056444.tif 000004
【図３】
2004056444.tif 000005